(57)【特許請求の範囲】
【請求項１】
ジャカード作用可能なジャカードガイドバーのジャカードガイドに通糸してなるジャカード糸を用いて柄出しを行なう製編方法において、ガイド自身が自己変位機能を有するように構成してなる圧電素子部材を用いたジャカードガイドを備えたジャカードガイドバーを少なくとも一列有する合計三列以上のジャカードガイドバーを設け、各列のジャカードガイドに通糸した異種及び／又は異色のジャカード糸によるニードルループの形成を１色のニードルループによる異色点の構成とし、ジャカード制御により選択することでジャカード糸のみによる三色以上のジャカード柄の構成を可能としたことを特徴とする多色ジャカード柄経編地の製編方法。
【請求項２】
前方側の編針列と後方側の編針列を構成する編針を用い、一種のジャカード糸を前後の編針列に作用させるときには、前記一種のジャカード糸以外の他種のジャカード糸は、前記一種のジャカード糸による表裏のニードルループの間に隠す編成を行なうことを特徴とする請求項１に記載の製編方法。
【発明の詳細な説明】
【０００１】
【発明の属する技術分野】
本発明は、主として各種テープ生地用として使用されるジャカード柄が表現された経編地の製編方法と製編のための経編機に関する。
【０００２】
【従来の技術】
従来、経編地において、基布の一部を構成する地糸により編成される編目（ニードルループ）を用い、編生地面にジャカード柄を現出することは特公昭４８−２０４７０により公知であるが、この柄出し用の地糸を供給するジャカードガイドバーには地糸を通糸するためのジャカードガイドを変位させるための制御杆が装備され、この制御杆はジャカードヘッドとよばれる柄制御装置との間で通じ糸と呼ばれる連結線により結ばれていた。
【０００３】
このため、ジャカードガイドバーへの地糸の供給は実際上経編機の前後側に位置する面側からしか行なうことが出来ず、実用上ジャカードガイドバーは、最大限二列が限度だった。従って、ジャカード柄を構成するジャカード糸を編機ゲージに対し総詰に配糸する場合、前述のとおりジャカードガイドバーは最大二列迄しか設けることができないので、このジャカードガイドバーのジャカードガイドに通糸した総詰めのジャカード糸では二色迄のジャカード柄しか構成できなかった。
【０００４】
【発明が解決しようとする課題】
本発明は上記欠点を解消し、ジャカードガイドバーに総詰に配した異種及び／又は異色のジャカード糸により三色以上の鮮明な柄出しを可能とする製編方法及び製編のための経編機を提供せんとするものである。
【０００５】
【課題を解決するための手段】
上記目的を達成するために、本発明は、ジャカード糸を通糸するためのジャカードガイドを備えたジャカードガイドバーにガイド自身が自己変位機能を有するように構成してなる圧電素子部材を用いたジャカードガイドを備えたものを少なくとも一列用いたものであり、このジャカードガイドバーは従来の制御杆が不要となり、結果として通じ糸は不要となるので、ジャカードガイドバーの枚数及び変位付与タイミングなどの使用制限がなくなり、このジャカードガイドバーを一列以上合計三列以上のジャカードガイドバーを設け、各列のジャカードガイドに通糸した異種及び／又は異色のジャカード糸によるニードルループの形成を１色のニードルループによる異色点の構成とし、ジャカード制御により選択することで、ジャカード糸のみによる三色以上のジャカード柄出しを行なうようにしたものである。
【０００６】
前方側の編針列と後方側の編針列を構成する編針を用い、一種のジャカード糸を前後の編針列に作用させるときには、前記一種のジャカード糸以外の他種のジャカード糸は、前記一種のジャカード糸による表裏のニードルループの間に隠す編成を行なうことで、編生地の両面には混色のない鮮明な配色のジャカード柄を製編することができる。
【０００７】
上記製編方法において使用する経編機として、ジャカード糸を通糸して柄出しを行なうジャカードガイドバーを備えてなるものにおいて、ガイド自身が自己変位機能を有するジャカードガイドを備えたジャカードガイドバーを少なくとも一列有する合計三列以上のジャカードガイドバーを設けてなることを特徴とするもので、全てのジャカードガイドバーが自己変位機能を有するものの方が制御上好ましいが、三枚以上のジャカードガイドバーのうち２枚迄のジャカードガイドバーについては従来の通じ糸の存在するタイプのジャカードガイドバーを用いることも編機構成上可能である。又、編針列としては複列，単列のものに適用可能でガイドの自己変位手段としては圧電素子を利用したものが好適であるが、自己変位機能を有するものであれば、圧電素子に限定されるものではない。又、ガイドバーが編機ゲージに対し、半分の本数のガイドをもついわゆるオフセットのものは２枚あっても、編機ゲージと同じガイド本数のいわゆるフルセット１枚と同じであり、オフセット単独１枚では本発明ではガイドバー１枚でなく、オフセットのガイドバーの場合２枚でガイドバー１枚と定義する。
【０００８】
【実施例】
以下本発明を図面に基づいて説明する。図１は本発明の経編機の一実施例であるダブルラッシェル機の編成要部を示す概略側面図，図２は図１の本発明の製編方法により編成される多色ジャカード柄経編地の基本編組織の一例，図３は本発明の経編機の別実施例であるシングルラッシェル機により編成される多色ジャカード柄経編地の基本編組織の一例である。
【０００９】
図１において、１，２，３，４はジャカードガイドバー、１３，１４はグランドガイドバーであり、各々パターンホイール等の柄駆動手段により編機の幅方向に変位可能に設けられている。ジャカードガイドバー１，２，３，４の各々にはバイモルフ型の圧電素子部材列５ａ，５ｂ，６ａ，６ｂ，７ａ，７ｂ，８ａ，８ｂに脱着可能に各々装着されたジャカードガイド列１ａ，１ｂ，２ａ，２ｂ，３ａ，３ｂ，４ａ，４ｂが装備されており、前方側の編針列Ｆと後方側の編針列Ｂを構成する編針の本数に対し、ジャカードガイド列１ａ及び１ｂの対，２ａ及び２ｂの対，３ａ及び３ｂの対，４ａ及び４ｂの対が各々一単位として同本数対応するように、前記各ジャカードガイド列はハーフゲージとして配列されている。
【００１０】
ジャカードガイドバー１において、圧電素子部材列５ａ，５ｂは、当出願人が保有する特許（特公平４−６１１０４号公報）に開示する変位装置の構成としたもので、特にここでは説明を省く。圧電素子部材列５ａ，５ｂは、ジャカードガイドバー１の前後面に螺着してなる取着部材９ａ，９ｂに、編針列方向にジャカード制御による自己変位可能に取り付けられており、ジャカードガイドバー２，３，４についてもジャカードガイドバー１と同様に構成されているジャカードガイドバー２，３，４の各々には圧電素子部材６ａ，６ｂ、７ａ，７ｂ、８ａ，８ｂ用の取着部材１０ａ，１０ｂ、取着部材１１ａ，１１ｂ、取着部材１２ａ，１２ｂが対応している。
【００１１】
図２において、１０１，１０２，１０３，１０４，１１３，１１４の各々は、図１のジャカードガイドバー１，２，３，４、グランドガイドバー１３，１４の各々に通糸されたジャカード糸又は地糸の基本編組織であり、編組織１０４，１０３，１０２，１０１は各々前後４コース間Ａ１，Ａ２，Ａ３，Ａ４毎に、前方編針列Ｆ及び後方編針列Ｂにおいて、鎖編組織０−２／２−０／２−０／０−２／／×２を形成し、それ以外の編コースにおいては挿入編組織を形成している。又、編組織１１３，１１４は各々挿入編組織８−８／４−４／０−０／４−４／／，一部オーバーラッピング編組織０−０／２−２／２−２／２−０／０−０／０−２／０−０／０−０／／を形成している。
【００１２】
編組織１０１，１０２，１０３，１０４用のジャカード糸の各々に異色の糸を使用し、各々に該当する色をＪ１，Ｊ２，Ｊ３，Ｊ４とすると、Ａ１，Ａ２，Ａ３，Ａ４の各区域において、編組織１０４，１０３，１０２，１０１用のジャカード糸の各々の一単位が単独で鎖編を形成し、その鎖編ウエールが挿入編組織１１３用の地糸により横方向に連結されることで両編裏面を有するダブルラッシェル経編地が編成されるので、その両編裏面ではＡ１，Ａ２，Ａ３，Ａ４の各区域に対応してＪ４，Ｊ３，Ｊ２，Ｊ１各一色のニードルループによる編幅全体に亘る背景色が現出される。
【００１３】
ジャカード制御により、例えば一列のウエールの区域Ａ１における編組織１０４の前方側編針列ＦへのオーバーラッピングＸ４が打ち消されて挿入編を形成した際には、同一ウエール及び同一編コースにおける編組織１０３，１０２あるいは１０１の各Ｘ３，Ｘ２あるいはＸ１の挿入編の内いずれが一箇所がジャカード制御によりオーバーラッピング編組織とされることで、Ｊ３，Ｊ２あるいはＪ１いずれか一色のニードルループによる異色点が現出される。同様に区域Ａ２においてはＪ４，Ｊ２，Ｊ１の内いずれか一色、区域Ａ３においてはＪ４，Ｊ３，Ｊ１の内のいずれか一色、区域Ａ４においてはＪ４，Ｊ３，Ｊ２の内いずれか一色のニードルループによる異色点が現出される。
【００１４】
前記異色点はジャカード制御により、前記ダブルラッシェル経編地の両編裏面の編幅全体に亘って自在に現出され得るので四色により両面柄出しされたジャカード柄ダブルラッシェル経編地が製編される。
【００１５】
一部オーバーラッピング編組織１１４用に弾性糸が使用された場合には、編成終了後に弾性糸の各挿入編部分が収縮して横縞のジャバラ状のいわゆるリブ編の外観を呈し、主に経方向に伸縮性を有する四色ジャカード柄ダブルラッシェル弾性経編地となる。尚、各ジャカード糸の挿入編編成部が前記経編地の両編裏面間に隠されて不可視であることは、ダブルラッシェル機での編成原理上言うまでもない。
【００１６】
図１の経編機の前方編針列Ｆを除外し、ジャカードガイドバー１の前方にグランドガイドバー（図示せず）を１枚追加した編成要部を有するシングルラッシェル機にて編成される編組織例である図３において、２０１，２０２，２０３，２０４，２１３，２１４，２００の各々はジャカードガイドバー１，２，３，４、グランドガイドバー１３，１４、追加されたグランドガイドバー（図示せず）の各々に通糸されたジャカード糸，地糸又は押さえ糸の基本編組織であり、編組織２０４，２０３，２０２，２０１は各々３コース間Ｃ１，Ｃ２，Ｃ３，Ｃ４毎に、編針列Ｂにおいて鎖編組織を形成し、そのチェーン番号は、編組織２０４，２０２では２−０／０−２／２−０／／、編組織２０３，２０１では０−２／２−０／０−２／／であり、それ以外の編コースにおいては挿入編組織を形成している。又、編組織２１３，２１４，２００は各々挿入編組織６−６／０−０／／，一部オーバーラッピング編組織０−０／２−２／０−０／２−２／０−２／／，鎖編組織２−０／０−２／／を形成している。
【００１７】
図２の編組織例の場合と同様に、編組織２０１，２０２，２０３，２０４用のジャカード糸の各々に異色の糸を使用すると、Ｃ１，Ｃ２，Ｃ３，Ｃ４の各区域において、編組織２０４，２０３，２０２，２０１の各々用のジャカード糸により形成されたニードルループにより、編裏面に各一色の背景色が現出され、その中にジャカード制御により異色点を自在に現出させて、四色ジャカード柄シングルラッシェル経編地が製編され、一部オーバーラッピング編組織２１４用に弾性糸が使用された場合には、リブ編の外観を呈し主に経方向に伸縮性を有する四色ジャカード柄シングルラッシェル弾性経編地となる。
【００１８】
鎖編組織２００用の押さえ糸は、編組織２０１，２０２，２０３，２０４用のジャカード糸の挿入編形成部分が編表側に浮遊しないように、経編地に各ジャカード糸を編み込んでおり、細番手のモノフィラメントの押さえ糸であれば、該押さえ糸で形成されたニードルループがジャカード糸により形成されたニードルループ内に隠れやすいので、柄出しに支承をきたさない。
【００１９】
尚、本実施例以外に、一色のみを常時背景色として使用し、残り三色で柄出しを行なったり、各ジャカードガイドバーのジャカードガイドの配置をいわゆるオフセット配置として、計八色で柄出しを行なったり、各ジャカードガイドバーに異種の糸を通糸して編成し、後工程で染め分けしたりする例も可能であり、本発明の請求項に記載の技術思想に基づくものであれば、上記実施例に限定されるものではない。
【００２０】
【発明の効果】
本発明の経編機によれば、通じ糸を必要としなくなるので省スペース化が図られ、本発明の製編方法によればフルゲージで四色、オフセットで八色までの柄出しが可能となるため、各種柄入りテープ，ベルト材等に従来にない装飾を施すことが可能となり、商品価値が高められる。
【図面の簡単な説明】
【図１】本発明の経編機の一実施例であるダブルラッシェル機の編成要部を示す概略側面図。
【図２】図１の経編機により編成される多色ジャカード柄経編地の基本編組織の一例。
【図３】本発明の経編機の別実施例であるシングルラッシェル機により編成される多色ジャカード柄の経編地の基本組織の一例。
【符号の説明】
１，２，３，４…ジャカードガイドバー
１ａ，１ｂ，２ａ，２ｂ，３ａ，３ｂ，４ａ，４ｂ…ジャカードガイド
１３，１４…グランドガイドバー
Ｆ…前方側編針列
Ｂ…後方側編針列
【図１】
0003607786.tif 000002
【図２】
0003607786.tif 000003
【図３】
0003607786.tif 000004